(57)【要約】【課題】モジュール式折りたたみ展示ブース構造体を提供する。【解決手段】モジュール式折りたたみ展示ブース構造体は、上部展示フレーム構造体が着脱可能にマウントされる、複数の脚および上部折りたたみフレーム構造体を有するベースフレーム構造体を備え、一時的な展示ブースや販売ブースなどに使用される折りたたみ展示構造体を提供する。上部展示フレームは、頂点や切り妻構造を有する張り出し屋根や、あるいは垂直な垂れ幕や内側・外側に延伸する上部を有するオープントップ構造を有してもよい。【選択図】図１
2009535538.tif 000002
【特許請求の範囲】
【請求項１】
モジュール式折りたたみ展示ブース構造体であって、
上部を有する折りたたみ可能なベースフレームと、
前記ベースフレームに接続される複数の脚と、
前記ベースフレームの前記上部に着脱可能にマウントされる上部展示フレーム構造体と、
を備えることを特徴とするモジュール式折りたたみ展示ブース構造体。
【請求項２】
前記ベースフレームは、前記複数の脚に接続され、前記複数の脚によって支持される折りたたみ型の周部トラス構造の骨組みを有することを特徴とする請求項１に記載のモジュール式折りたたみ展示ブース構造体。
【請求項３】
前記上部展示フレーム構造体は、張り出し屋根（Canopy）を有することを特徴とする請求項１に記載のモジュール式折りたたみ展示ブース構造体。
【請求項４】
前記張り出し屋根は頂点を有することを特徴とする請求項３に記載のモジュール式折りたたみ展示ブース構造体。
【請求項５】
前記張り出し屋根は切り妻構造を有することを特徴とする請求項３に記載のモジュール式折りたたみ展示ブース構造体。
【請求項６】
前記上部展示フレーム構造体は、オープントップ構造を有することを特徴とする請求項１に記載のモジュール式折りたたみ展示ブース構造体。
【請求項７】
前記上部展示フレーム構造体は、垂れ幕を有することを特徴とする請求項１に記載のモジュール式折りたたみ展示ブース構造体。
【請求項８】
前記上部展示フレーム構造体は、内側に延伸した上部を有することを特徴とする請求項１に記載のモジュール式折りたたみ展示ブース構造体。
【請求項９】
前記上部展示フレーム構造体は、外側に延伸した上部を有することを特徴とする請求項１に記載のモジュール式折りたたみ展示ブース構造体。
【請求項１０】
前記複数の脚にマウントされた少なくともひとつの側壁をさらに備えることを特徴とする請求項１に記載のモジュール式折りたたみ展示ブース構造体。
【請求項１１】
前記複数の脚にマウントされた少なくともひとつのサイドスカートをさらに備えることを特徴とする請求項１に記載のモジュール式折りたたみ展示ブース構造体。
【請求項１２】
モジュール式折りたたみ展示ブース構造体であって、
上部、少なくとも３つの側面、および少なくとも３つの角を有する折りたたみ可能なベースフレームと、
前記折りたたみ可能なベースフレームの角それぞれに接続され、上部を有する脚と、
前記脚の上部および前記ベースフレームの前記上部に着脱可能にマウントされる上部展示フレーム構造体と、
を備えることを特徴とするモジュール式折りたたみ展示ブース構造体。
【請求項１３】
前記折りたたみ可能なベースフレームは、前記脚に接続されて前記モジュール式折りたたみ展示ブース構造体を支持し安定化する、折りたたみ型の周部トラス構造の骨組みを有することを特徴とする請求項１２に記載のモジュール式折りたたみ展示ブース構造体。
【請求項１４】
前記上部展示フレーム構造体は、中心頂点を有する閉じた張り出し屋根（Canopy）を有し、前記閉じた張り出し屋根は前記中心頂点から放射状に設けられたサポートアームによって支持されており、前記サポートアームはその外側の一端において前記脚の前記上部と接続されることを特徴とする請求項１２に記載のモジュール式折りたたみ展示ブース構造体。
【請求項１５】
前記上部展示フレーム構造体は、切り妻構造の複数の頂点を有する閉じた張り出し屋根（Canopy）を有し、前記閉じた張り出し屋根は前記複数の頂点から放射状に設けられたサポートアームによって支持されており、前記サポートアームはその外側の一端において前記脚の前記上部と接続されることを特徴とする請求項１２に記載のモジュール式折りたたみ展示ブース構造体。
【請求項１６】
前記張り出し屋根の部分は、垂直方向の垂れ幕にて構成されるオープントップ構造を有することを特徴とする請求項１２に記載のモジュール式折りたたみ展示ブース構造体。
【請求項１７】
前記張り出し屋根の部分は、部分的な張り出し屋根を形成する内側に延伸した上部を有するオープントップ構造であることを特徴とする請求項１２に記載のモジュール式折りたたみ展示ブース構造体。
【請求項１８】
前記張り出し屋根の部分は、外側に延伸した上部を有するオープントップ構造であることを特徴とする請求項１２に記載のモジュール式折りたたみ展示ブース構造体。
【請求項１９】
前記上部展示フレーム構造体は、前記脚にマウントされた少なくともひとつの側壁をさらに備えることを特徴とする請求項１２に記載のモジュール式折りたたみ展示ブース構造体。
【請求項２０】
前記脚にマウントされた少なくともひとつのサイドスカートをさらに備えることを特徴とする請求項１２に記載のモジュール式折りたたみ展示ブース構造体。
【発明の詳細な説明】
【技術分野】
【０００１】
本願は、２００６年４月２８日に出願された米国仮出願第６０／７９６，３４０号に基づいている。
【０００２】
本発明は、折りたたみ（folding/collapsible）構造体に関し、特に折りたたみ可能なベースフレームと、ベースフレームの上部にマウントされる上部フレーム構造体と、を有するモジュール式折りたたみ展示ブース構造体に関する。
【背景技術】
【０００３】
容易に移動可能であり、非常事態に素早くセットアップ可能な仮設シェルターは、一時的ケア、仮設住宅の提供に有用である。このようなシェルタは、仮設的な指揮所、展示ブース、販売ブースをはじめとする非緊急時のアウトドア集会のために有用である。
【発明の開示】
【発明が解決しようとする課題】
【０００４】
つまり、それに対してさまざまな上部フレーム構造体が必要に応じてマウント可能であり再利用可能な基本となる折りたたみベースフレームを有する、モジュール式折りたたみ展示ブース構造体の提供が望まれている。
【課題を解決するための手段】
【０００５】
一般化していえば、本発明のある態様のモジュール式折りたたみ展示ブース構造体は、上部展示フレーム構造体が着脱可能にマウントされる、複数の脚および上部折りたたみフレーム構造体を有するベースフレーム構造体を備え、一時的な展示ブースや販売ブースなどに使用される折りたたみ展示構造体を提供する。
【０００６】
ある態様において、モジュール式折りたたみ展示ブース構造体は、折りたたみ可能なベースフレームと、ベースフレームの上部にマウントされる上部フレーム構造体と、を備える。折りたたみ可能なベースフレームは、複数の脚に接続され、複数の脚によって支持されており、典型的には折りたたみ型の周部トラス構造の骨組み(perimeter truss framework)を有する。
【０００７】
上部展示フレームは、ベースフレームの上部に着脱可能にマウントされ、頂点や切り妻構造を有する張り出し屋根（天蓋、キャノピー）や、あるいは垂直な垂れ幕や内側／外側に延伸する上部を有するオープントップ構造をはじめとするさまざまなバリエーションを取り得る。ブース構造体がモジュール式であるという性質によって、ひとつもしくは複数の側壁やサイドスカートを脚にマウントすることができ、あるいは上部展示フレーム構造体にひとつまたは複数の旗をマウントすることが可能となる。
【０００８】
本発明に係る、これらのあるいはその他の形態は、以下の詳細な説明および図面によって明らかとなる。
【発明を実施するための最良の形態】
【０００９】
図面を参照すると、図１に示されるように、本発明に係るモジュール式折りたたみ展示ブース構造体１０は、典型的には折りたたみ可能な（可倒式：collapsible）ベースフレーム１２と、３本またはそれ以上の辺１４と、３つまたはそれ以上の角１６を有している。一般的には、モジュール式折りたたみ展示ブース構造体１０は、４本の辺と、４つの角を有している。脚１８は角ごとに設けられ、折りたたみ式のフレーム構造体２０を支持し、典型的にはフレーム構造体２０は、ここでの説明に組み入れられる米国特許５，４９０，５３３に記載されるように、脚に接続されて、モジュール式折りたたみ展示ブース構造体を安定化・支持するための周部トラス構造の骨組みを有する。
【００１０】
上部展示フレーム構造体は、脚の頂部およびベースフレームに対して着脱可能にマウントされる。ある態様において、図１に示されるように、上部展示フレーム構造体３０は、サポートアーム３６によって支持される中心の頂点３４を有する閉じた張り出し屋根（天蓋）として形成される。サポートアーム３６は、中心の頂点から放射状に設けられ、その外側の一端３８が、脚または周部トラス構造の骨組みの頂部に接続されている。別の態様では、図２および図８に示されるように、サポートアーム４６により支持される上部展示フレーム４０は、複数の頂点４４を有する切り妻構造の張り出し屋根として形成される。サポートアーム４６は複数の頂点から放射状に設けられ、その外側の一端が脚または周部トラス構造の骨組みの頂部と接続されている。張り出し屋根の部分は典型的にはナイロンの布地であり、軽量で持ち運びが容易となっている。ただし張り出し屋根の部分はキャンバスをはじめとするその他のタイプの布地、プラスチックで形成されてもよい。
【００１１】
別の態様において、図３に示すように、モジュール式折りたたみ展示ブース構造体の上部展示フレーム５０は、垂直な垂れ幕５４を用いたオープントップ５２として形成されてもよい。別の態様においては図４に示すように、モジュール式折りたたみ展示ブース構造体の上部展示フレーム６０は、内側に延伸する上部６４が部分的な張り出し屋根を形成して成るオープントップ６２として形成されてもよい。あるいは図５に示されるように、モジュール式折りたたみ展示ブース構造体の上部展示フレーム７０は、外側に延伸する上部７４が部分的な張り出し屋根を形成して成るオープントップ７２として形成されてもよい。これは、バナーを表示するために利用することができる。
【００１２】
図６に示すように、モジュール式折りたたみ展示ブース構造体１０の折りたたみ式のベースフレーム構造体によれば、少なくともひとつの側壁８２を脚８４にマウントすることができ、また少なくともひとつのサイドスカート８６を脚にマウントすることができる。側壁やサイドスカートは典型的には、たとえばポリエステル生地などの布地で形成される。図７に示すように、モジュール式折りたたみ展示ブース構造体の上部展示フレーム９０がモジュール式であるという性質によって、上部展示フレームには少なくともひとつの旗９２をマウントすることができる。
【００１３】
具体的な実施の形態について図示し説明したが、上記の説明から、本発明の思想、範囲を逸脱しない範囲において、多くの変形例や配置の変更が可能であることが明らかである。したがって本発明は、特許請求の範囲以外によって限定されるものではない。
【図面の簡単な説明】
【００１４】
【図１】本発明に係る、頂点を有する張り出し屋根を形成する上部展示フレーム構造体を備えるモジュール式折りたたみ展示ブース構造体の斜視図である。
【図２】本発明に係る、切り妻構造を有する張り出し屋根を形成する上部展示フレーム構造体を備えるモジュール式折りたたみ展示ブース構造体の斜視図である。
【図３】本発明に係る、垂直な垂れ幕を有するオープントップ構造を形成する上部展示フレーム構造体を備えるモジュール式折りたたみ展示ブース構造体の斜視図である。
【図４】本発明に係る、内側に延伸する上部を有するオープントップ構造を形成する上部展示フレーム構造体を備えるモジュール式折りたたみ展示ブース構造体の斜視図である。
【図５】本発明に係る、外側に延伸する上部を有するオープントップ構造を形成する上部展示フレーム構造体を備えるモジュール式折りたたみ展示ブース構造体の斜視図である。
【図６】本発明に係る、脚にマウントされた、頂点を有する張り出し屋根、側壁およびサイドスカートを備えるモジュール式折りたたみ展示ブース構造体の斜視図である。
【図７】本発明に係る、上部展示フレーム構造体にマウントされたひとつまたは複数の旗を有するモジュール式折りたたみ展示ブース構造体の斜視図である。
【図８】本発明に係る、切り妻構造の張り出し屋根を備えるモジュール式折りたたみ展示ブース構造体の斜視図である。
【図１】
2009535538.tif 000003
【図２】
2009535538.tif 000004
【図３】
2009535538.tif 000005
【図４】
2009535538.tif 000006
【図５】
2009535538.tif 000007
【図６】
2009535538.tif 000008
【図７】
2009535538.tif 000009
【図８】
2009535538.tif 000010
【国際調査報告】
2009535538.tif 000011